(57)【特許請求の範囲】
【請求項１】
複数種類の識別情報を可変表示可能な画像表示装置を有し、該画像表示装置の表示結果が予め定められた特定の識別情報になったときに、遊技者に有利な特定遊技状態に制御可能な遊技機であって、
特定遊技状態決定用のランダムカウンタを用いて、前記特定遊技状態に制御するか否かを決定する遊技状態決定手段と、
表示結果決定用のランダムカウンタを用いて、前記遊技状態決定手段の決定に基づいて前記画像表示装置の表示結果を複数の表示結果のうちから決定する表示結果決定手段と、
前記遊技状態決定手段により前記特定遊技状態としないことが決定されたときにリーチ決定用のランダムカウンタを用いて前記画像表示装置の可変表示中にリーチ可変表示を行なうか否かを決定するリーチ決定手段と、
前記遊技状態決定手段により前記特定遊技状態とすることが決定されたとき、および、前記リーチ決定手段によりリーチ可変表示を行なうことが決定されたときに、リーチ種類決定用のランダムカウンタを用いて、リーチ可変表示中の表示態様が異なる複数種類のリーチのうちからリーチの種類を、前記遊技状態決定手段により前記特定遊技状態とすることが決定されたときと、前記リーチ決定手段によりリーチ可変表示を行なうことが決定されたときとで異なる割合で、決定するリーチ種類決定手段と、
前記画像表示装置に前記複数種類の識別情報を第１の表示変化態様で可変開始させた後、その表示結果を導出表示させる制御を行なう画像表示制御手段と、
複数種類の特別識別情報としての特別図柄を可変表示可能であり、前記特定遊技状態に制御されるときに、表示結果が特定の表示態様となる特別図柄可変表示装置とを含み、
前記画像表示装置は、前記特別図柄の可変表示に連動して可変表示する飾り図柄を可変表示可能な飾り図柄可変表示装置であり、
前記画像表示制御手段は、
前記飾り図柄の表示内容を前記特別図柄の表示内容と関連性がある表示内容とする制御を行ない、
リーチ可変表示の実行前に、前記リーチ種類決定手段により決定されたリーチの種類に応じた動作でキャラクタ画像を表示させる制御を行なうとともに、前記第１の表示変化態様で可変表示している前記識別情報としての飾り図柄を、キャラクタ画像の動作に応じて前記第１の表示変化態様と異なる第２の表示変化態様に切換えて可変表示させる制御を行なう変化態様切換制御手段を含み、
該変化態様切換制御手段は、キャラクタ画像が表示されたときであっても、所定条件が成立しているときには前記第２の表示変化態様に切換わらないように制御することを特徴とする、遊技機。
【発明の詳細な説明】
【技術分野】
【０００１】
本発明は、たとえばパチンコ遊技機やコイン遊技機あるいはスロットマシン等で代表される遊技機に関し、詳しくは、複数種類の識別情報を可変表示可能な画像表示装置を有し、該画像表示装置の表示結果が予め定められた特定の識別情報になった場合に、遊技者に有利な状態に制御可能な遊技機に関する。
【背景技術】
【０００２】
この種の従来の遊技機において、従来から一般的に知られているものに、たとえば、図柄等からなる複数種類の識別情報の画像を可変表示可能な画像表示装置が設けられ、その画像表示装置が識別情報を可変開始した後、停止制御される等して表示結果が導出表示され、その表示結果が予め定められた特定の識別情報（たとえば（７７７）になった場合に、特定遊技状態（大当り状態）等の遊技者にとって有利な状態に制御されるように構成されたものがあった。
【０００３】
このような従来の遊技機においては、識別情報が可変開始されてから表示結果が導出表示されるまでの間に識別情報のスクロール表示が行なわれていた。そして、そのような識別情報のスクロール表示の変化態様については、変化速度制御等の制御を行なうことによって若干の工夫がなされていた。
【発明の開示】
【発明が解決しようとする課題】
【０００４】
しかし、このような従来の遊技機においては、画像表示装置に表示される識別情報の可変表示時の変化態様がスクロール表示のみ等の１種類に限られていたため、可変表示の開始後遊技者が可変表示停止結果を確認するまでの間における識別情報の変化態様に関し、変化が乏しかった。このように、画像表示装置の識別情報の変化態様に変化が乏しいことにより、従来の遊技機では、遊技としての面白味（遊技性）に欠けるという問題があった。
【０００５】
この発明は、係る実情に鑑み考え出されたものであり、その目的は、画像表示装置の可変表示の変化態様を変化に富んだものにして遊技としての面白味を向上させることが可能な遊技機を提供することである。
【課題を解決するための手段の具体例およびその効果】
【０００６】
請求項１に記載の本発明は、複数種類の識別情報を可変表示可能な画像表示装置を有し、該画像表示装置の表示結果が予め定められた特定の識別情報になったときに、遊技者に有利な特定遊技状態に制御可能な遊技機であって、
特定遊技状態決定用のランダムカウンタを用いて、前記特定遊技状態に制御するか否かを決定する遊技状態決定手段と、
表示結果決定用のランダムカウンタを用いて、前記遊技状態決定手段の決定に基づいて前記画像表示装置の表示結果を複数の表示結果のうちから決定する表示結果決定手段と、
前記遊技状態決定手段により前記特定遊技状態としないことが決定されたときにリーチ決定用のランダムカウンタを用いて前記画像表示装置の可変表示中にリーチ可変表示を行なうか否かを決定するリーチ決定手段と、
前記遊技状態決定手段により前記特定遊技状態とすることが決定されたとき、および、前記リーチ決定手段によりリーチ可変表示を行なうことが決定されたときに、リーチ種類決定用のランダムカウンタを用いて、リーチ可変表示中の表示態様が異なる複数種類のリーチのうちからリーチの種類を、前記遊技状態決定手段により前記特定遊技状態とすることが決定されたときと、前記リーチ決定手段によりリーチ可変表示を行なうことが決定されたときとで異なる割合で、決定するリーチ種類決定手段と、
前記画像表示装置に前記複数種類の識別情報を第１の表示変化態様で可変開始させた後、その表示結果を導出表示させる制御を行なう画像表示制御手段と、
複数種類の特別識別情報としての特別図柄を可変表示可能であり、前記特定遊技状態に制御されるときに、表示結果が特定の表示態様となる特別図柄可変表示装置とを含み、
前記画像表示装置は、前記特別図柄の可変表示に連動して可変表示する飾り図柄を可変表示可能な飾り図柄可変表示装置であり、
前記画像表示制御手段は、
前記飾り図柄の表示内容を前記特別図柄の表示内容と関連性がある表示内容とする制御を行ない、
リーチ可変表示の実行前に、前記リーチ種類決定手段により決定されたリーチの種類に応じた動作でキャラクタ画像を表示させる制御を行なうとともに、前記第１の表示変化態様で可変表示している前記識別情報としての飾り図柄を、キャラクタ画像の動作に応じて前記第１の表示変化態様と異なる第２の表示変化態様に切換えて可変表示させる制御を行なう変化態様切換制御手段を含み、
該変化態様切換制御手段は、キャラクタ画像が表示されたときであっても、所定条件が成立しているときには前記第２の表示変化態様に切換わらないように制御することを特徴とする。
【００１０】
請求項１に記載の本発明によれば、遊技状態決定手段の働きにより、特定遊技状態決定用のランダムカウンタを用いて、特定遊技状態に制御するか否かが決定される。表示結果決定手段の働きにより、表示結果決定用のランダムカウンタを用いて、遊技状態決定手段の決定に基づいて画像表示装置の表示結果が複数の表示結果のうちから決定される。リーチ決定手段の働きにより、遊技状態決定手段により特定遊技状態としないことが決定されたときにリーチ決定用のランダムカウンタを用いて画像表示装置の可変表示中にリーチ可変表示を行なうか否かが決定される。リーチ種類決定手段の働きにより、遊技状態決定手段により特定遊技状態とすることが決定されたとき、および、リーチ決定手段によりリーチ可変表示を行なうことが決定されたときに、リーチ種類決定用のランダムカウンタを用いて、リーチ可変表示中の表示態様が異なる複数種類のリーチのうちからリーチの種類が、遊技状態決定手段により特定遊技状態としないことが決定されたときと、リーチ決定手段によりリーチ可変表示を行なうことが決定されたときとで異なる割合で、決定される。画像表示制御手段の働きにより、画像表示装置に複数種類の識別情報を第１の表示変化態様で可変開始させた後、その表示結果を導出表示させる制御が行なわれる。変化態様切換制御手段の働きにより、複数種類のリーチのうちから決定されたリーチの種類に応じた動作でキャラクタ画像を表示させる制御を行なうとともに、第１の表示変化態様で可変表示している識別情報としての飾り図柄を、キャラクタ画像の動作に応じて第１の表示変化態様と異なる第２の表示変化態様に切換えて可変表示させる制御が行なわれる。このように、特定遊技状態としないことが決定されたときにリーチ決定用のランダムカウンタを用いてリーチとするか否かが決定される。そして、遊技状態決定手段により特定遊技状態とすることが決定されたとき、および、リーチ決定手段によりリーチ可変表示を行なうことが決定されたときに、リーチ種類決定用のランダムカウンタを用いて、リーチ可変表示中の表示態様が異なる複数種類のリーチのうちからリーチの種類が決定される。リーチの種類の決定においては、遊技状態決定手段により特定遊技状態とすることが決定されたときと、リーチ決定手段によりリーチ可変表示を行なうことが決定されたときとで異なる割合でリーチの種類が決定される。特別図柄可変表示装置の働きにより、複数種類の特別識別情報としての特別図柄が可変表示可能であり、特定遊技状態に制御されるときに、表示結果が特定の表示態様となる。画像表示装置は、特別図柄の可変表示に連動して可変表示する飾り図柄を可変表示可能な飾り図柄可変表示装置である。そして、飾り図柄の表示内容を前記特別図柄の表示内容と関連性がある表示内容とする制御が行なわれる。リーチ可変表示の実行前に、リーチ種類決定手段により決定されたリーチの種類に応じた動作でキャラクタ画像を表示させる制御が行なわれるとともに、それに応答して、第１の表示変化態様で可変表示中の識別情報としての飾り図柄が、キャラクタ画像の動作に応じて第１の表示変化態様と異なる第２の表示変化態様に切換えられて可変表示される。また、キャラクタ画像が表示されたときであっても、所定条件が成立しているときには第２の表示変化態様に切換わらないように制御される。
【発明を実施するための最良の形態】
【００１４】
以下に、本発明の実施の形態を図面に基づいて詳細に説明する。なお、以下の実施の形態においては、遊技機の一例としてパチンコ遊技機を示すが、本発明は、これに限らず、たとえばコイン遊技機やスロットマシン等であってもよく、複数種類の識別情報を可変表示可能な画像表示装置を有し、その画像表示装置の表示結果が予め定められた特定の識別情報になった場合に、遊技者に有利な状態に制御可能な遊技機であれば、すべてに適用することが可能である。
【００１５】
図１は、遊技機の一例のパチンコ遊技機の遊技盤面を示す正面図である。このパチンコ遊技機には、遊技者が打球操作するための打球操作ハンドル（図示せず）が設けられており、この打球操作ハンドルを遊技者が操作することにより、パチンコ玉を１つずつ遊技盤１２の前面に形成された遊技領域１３内に打込むことができる。
【００１６】
この遊技領域１３内には、図柄等からなる複数種類の識別情報を可変表示して表示状態が変化可能な可変表示装置として、特別図柄用可変表示装置６０および飾り図柄用可変表示装置１の２種類の装置が設けられている。
【００１７】
特別図柄用可変表示装置６０は、３つの７セグメントＬＥＤよりなり、特別図柄と呼ばれる識別情報を可変表示するためのものである。この特別図柄用可変表示装置６０は、横一列に並ぶ左，中，右の各特別図柄可変表示部を有し、各特別図柄可変表示部に表示される特別図柄を可変表示可能に構成されている。以下の説明においては、左，中，右の各特別図柄表示部に表示される特別図柄を、左特別図柄，中特別図柄，右特別図柄と呼ぶ。
【００１８】
飾り図柄用可変表示装置１は、飾り図柄と呼ばれる識別情報等を可変表示するためのものであり、液晶表示装置等よりなる画像表示装置２を有している。この画像表示装置２は、３行×３列の合計９個の可変表示用の飾り図柄表示部２ａ〜２ｉを表示することが可能である。さらに画像表示装置２は、飾り図柄表示部２ａ〜２ｉの他にも、キャラクタ画像およびその他の多種類の画像を適宜表示することが可能である。ここで、キャラクタ画像とは、画像表示装置２に表示される人間，動物，図形あるいは物等を表わす映像をいう。
【００１９】
このように構成された特別図柄用可変表示装置６０および飾り図柄用可変表示装置１は、連動して可変表示を行なう。具体的には、特別図柄用可変表示装置６０の特別図柄の可変表示に連動して、飾り図柄用可変表示装置１の飾り図柄の可変表示が行なわれる。このため、特別図柄用可変表示装置６０の表示内容と、飾り図柄用可変表示装置１の表示内容との間には、一定の関連性がある。
【００２０】
その関連性とは、たとえば、次のような関連性である。特別図柄用可変表示装置６０の表示内容が後述する大当り状態となれば、飾り図柄用可変表示装置１の表示内容も大当り状態となる。また、特別図柄用可変表示装置６０の表示内容が外れ状態となれば、飾り図柄用可変表示装置１の表示内容も外れ状態となる。
【００２１】
遊技領域１３内に打込まれたパチンコ玉が始動入賞口４内に入賞すれば、その始動入賞玉が始動入賞玉検出スイッチ４ａにより検出されてその検出出力に基づいて、特別図柄用可変表示装置６０の特別図柄が可変開始された後、停止制御される。それと同時に、その特別図柄用可変表示装置６０の動作に連動して、飾り図柄用可変表示装置１においても、飾り図柄が可変開始され、その後飾り図柄が停止制御される。特別図柄用可変表示装置６０においては、飾り図柄用可変表示装置１の飾り図柄表示部２ａ〜２ｉのすべてが停止した直後に、左，中，右特別図柄可変表示部がすべて同時に停止する。
【００２２】
その特別図柄用可変表示装置６０の可変停止時の表示結果が予め定められた特定の表示態様（たとえば７７７）となり、それに伴って、飾り図柄用可変表示装置１の可変停止時の表示結果が予め定められた特定の表示態様（たとえばあるライン上で７７７）となれば、可変入賞球装置５０の開閉板５ａが開成して打玉が入賞可能な遊技者にとって有利な第１の状態となり大当り状態（特定遊技状態）が発生する。
【００２３】
飾り図柄可変表示装置１の可変表示中においては、リーチ状態が発生する場合がある。ここで、リーチの定義を説明する。リーチとは、表示状態が変化可能な可変表示装置を有し、該可変表示装置が複数の表示結果を導出表示し、該複数の表示結果が予め定められた特定の表示態様の組合せになった場合に、特定の遊技価値が付与される遊技機において、前記複数の表示結果の一部がまだ導出表示されていない段階で、既に導出表示されている表示結果が前記特定の表示態様の組合せとなる条件を満たしている表示状態をいう。具体的には、前記複数の表示結果が、複数の可変表示部（ここでは１つの可変表示装置に複数の可変表示部が設けられた場合の可変表示部をいう）に表示される識別情報の組合せを指す場合において、一部の可変表示部の表示結果がまだ導出表示されていない表示状態が含まれ、また、１つの可変表示装置が１つの可変表示部を有する場合に、前記複数の表示結果が、１つの可変表示部が複数回停止表示され、その停止表示された結果の識別情報の組合せを指す場合において、一部の回の表示結果がまだ導出されていない段階の表示状態が含まれる。
【００２４】
あるいは、前記複数の表示結果の一部がまだ導出表示されていない段階で、前記遊技機が、前記特定の表示態様の組合せを導出表示可能な１段階前の状態であることを示した状態をもいう。具体的には、１つの可変表示装置が複数の可変表示部を有する場合に、前記複数の表示結果が複数の可変表示部に表示される識別情報の組合せを指す場合において、複数の可変表示部に表示される識別情報の一部または全部が揃った状態で可変表示を行なっている状態をいう。
【００２５】
この可変入賞球装置５０は、通常時は開閉板５ａが閉成して打玉が入賞不可能な遊技者にとって不利な第２の状態となっているが、大当り状態が発生すればソレノイド８が励磁されて開閉板５ａが開成して入賞開口５が開放された第１の状態となる。この可変入賞球装置５０の第１の状態は、所定期間（たとえば３０秒間）の経過あるいは所定個数（たとえば１０個）の打玉の入賞のうちいずれか早い方の条件が成立したことにより終了して第２の状態となる。その入賞開口５内に入賞したパチンコ玉が特定入賞玉検出スイッチ６，入賞玉検出スイッチ７により検出され、その検出個数は入賞個数表示器９により表示される。また、第１の状態となっている可変入賞球装置５０内に入賞したパチンコ玉が予め定められた特定入賞領域（Ｖポケット）に入賞すれば、その特定入賞玉が特定入賞玉検出スイッチ６により検出され、その回の可変入賞球装置５０の第１の状態が終了するのを待って再度可変入賞球装置５０を第１の状態に駆動制御する繰返し継続制御が行なわれる。この繰返し継続制御の上限回数はたとえば１６回と定められている。
【００２６】
ここで、飾り図柄用可変表示装置１の画像表示装置２の表示内容を簡単に説明する。画像表示装置２の表示画像においては、３行×３列の合計９個の飾り図柄表示部が一斉に可変開始（スクロール表示を開始）した後、まず２つの飾り図柄表示部２ａ，２ｂが停止し、次に４つの飾り図柄表示部２ｃ〜２ｆが停止し、次に２つの飾り図柄表示部２ｇ，２ｈが停止し、最後に真ん中の飾り図柄表示部２ｉが停止する。
【００２７】
そして、横方向における上段，中段，下段の３本の当りラインと、縦方向における左，中，右の３本の当りラインと、斜め対角線上に２本の当りラインとの合計８本の当りラインが定められている。この８本の当りラインのうちのある当りライン上で、予め定められた特定の表示態様（たとえば７７７）となれば、大当り状態が発生する。さらに、この９個の飾り図柄表示部のすべてが、後述するフルーツ図柄となった場合にも大当り状態が発生する。
【００２８】
飾り図柄用可変表示装置１が可変表示中に再度パチンコ玉が始動入賞口４に入賞すれば、その始動入賞が記憶されて飾り図柄用可変表示装置１が可変停止した後再度可変開始できる状態になるまで待ってその始動入賞記憶に基づいて飾り図柄用可変表示装置１が再度可変開始される。この始動入賞記憶の上限値はたとえば「４」に定められており、現時点における始動入賞個数が始動入賞個数表示器１０により表示される。
【００２９】
遊技領域１３内には、さらに通常入賞口３ａ〜３ｅが設けられているとともに、各種の装飾ランプや装飾ＬＥＤ１４，１５，１６が設けられている。遊技領域１３内に打込まれたパチンコ玉がいずれの入賞領域や可変入賞球装置にも入賞しなかった場合にはアウト玉としてアウト口１１から回収される。
【００３０】
なお、飾り図柄用可変表示装置１は、液晶表示装置を用いたものに限らず、ＣＲＴ表示装置、プラズマ表示装置またはマトリックスＬＥＤ表示装置等の画像を表示するその他の装置を用いてもよい。さらに当りラインは８本に限らず、５本あるいは１本であってもよい。
【００３１】
可変入賞球装置５０の第２の状態は、打玉が入賞可能ではあるが入賞困難なものであってもよい。
【００３２】
このパチンコ遊技機においては、特別図柄用可変表示装置６０において可変表示される特別図柄の配列構成が左，中，右特別図柄可変表示部について予め定められている。たとえば、左，中，右特別図柄可変表示部において、数字等の図柄が、複数種類同一の配列で定められている。そして、それらの各図柄に対応する図柄ポジションが、各特別図柄に対応して割り振られている。そして、後述するＣ  ＲＮＤ  Ｌ，Ｃ，Ｒの各抽出値が図柄ポジションの番号と一致する場所の図柄が、左，中，右特別図柄可変表示部の予定停止図柄として選択決定される。
【００３３】
図２は、飾り図柄用可変表示装置１で可変表示される複数種類の図柄の配列からなる図柄列を示す説明図である。飾り図柄用可変表示装置１により可変表示される図柄列は３グループに分かれており、図２における一番左側に示された７やフルーツ図柄や星印マークからなる図柄列は、６個の飾り図柄表示部２ａ〜２ｆにより可変表示される図柄列である。中央に示された図柄列は、２個の飾り図柄表示部２ｇ，２ｈにより可変表示される図柄列である。右側に示された図柄列は、中央の１つの飾り図柄表示部２ｉより可変表示される図柄列である。
【００３４】
これら図柄列は、後述する表示図柄切換制御の場合を除いて、各飾り図柄表示部により上方の図柄から順次下方の図柄のものがスクロール表示され、各図柄列の一番下側に最後の図柄が可変表示された次には各図柄列の一番上の図柄（図面では７）が表示され、これら各図柄列が巡回して可変表示される。そして、各飾り図柄表示部の可変表示が停止し、いずれかの当りライン上において７７７が揃うか、あるいはすべての飾り図柄表示部においてフルーツ図柄が表示された場合に、前述した大当りが発生する。なお、星印マークの図柄の場合には、たとえいずれかの当りライン上において３つ揃ったとしても大当りは発生しない。
【００３５】
図２の左側の００〜１４はソフト上のシンボルナンバーのコードであり、各図柄に割り振られており、１６進数で示されている。さらに、各図柄は、各飾り図柄表示部２ａ〜２ｉにおいて画像表示装置２のドットにより表示され、７やフルーツ図柄の場合には６４ドット（１図柄）で表示され、星印マークの図柄はその１／２図柄からなる３２ドットで表示される。ゆえに、図２の一番左側に示された図柄列の場合には、６４×６＋３２×３＝４８０ドットとなる。中央の図柄列と右側の図柄列との場合には、６４×６＋３２×１５＝８６４ドットとなる。このように、外れ図柄を小さくすることにより、当たり図柄がわかりやすくなるとともに、図柄列の１周期の長さ（ドット数）を短くできる効果がある。
【００３６】
図３は、飾り図柄用可変表示装置の各飾り図柄表示部によって表示される可変停止時の表示結果が予め定められた特定の表示態様となった場合を示した表示画面図である。図３の一番左上に示された画面図では、各飾り図柄表示部２ａ〜２ｉにより「７」が表示結果として導出表示されている。この場合にはすべての飾り図柄表示部２ａ〜２ｉを枠で囲む表示が行なわれる。その下の表示画面図においては、横方向上段の当りライン上において「７７７」が揃った状態が示されている。そして、「７７７」がそろった飾り図柄表示部２ａ，２ｂ，２ｇを枠で囲む表示が行なわれる。その下の表示画面図においては、縦方向左側の当りラインにおいて「７７７」が揃った状態とそれを枠で囲んだ状態が示されている。その下の表示画面図においては、左上から右下に向かう斜め方向に「７７７」が揃った状態とそれを枠で囲んだ状態が示されている。その下の表示画面図においては、横方向中段の当りラインにおいて「７７７」が揃った状態とそれを枠で囲んだ状態が示されている。
【００３７】
図３の右上の表示画面図においては、縦方向中央の当りライン上において「７７７」が揃った状態とそれを枠で囲んだ状態が示されている。その下の表示画面図においては、左下から右上に向かう斜めの当りライン上において「７７７」が揃った状態とそれを枠で囲んだ状態が示されている。その下の表示画面図においては、横方向下段の当りライン上において「７７７」が揃った状態とそれを枠で囲んだ状態が示されている。その下の表示画面図においては、縦方向右側の当りライン上において「７７７」が揃った状態とそれを枠で囲んだ状態が示されている。その下の表示画面図においては、すべての飾り図柄表示部２ａ〜２ｉにおいてフルーツ図柄が揃った状態と、すべての飾り図柄表示部２ａ〜２ｉを枠で囲んだ状態とが示されている。
【００３８】
この図３には大当り状態が発生する特定の表示態様が１０種類示されているが、この１０種類の表示態様のいずれが揃ったとしても、前述したように可変入賞球装置５０の第１の状態への駆動制御の態様は同じである。また、この図３に示された特定の表示態様の他の例としては、たとえば、横方向上段と左上から右下へ向かう斜め方向との２本の当りライン上において共に「７７７」が揃ったり、あるいは斜め対角線上の２本と横方向１本または縦方向１本の合計３本の当りライン上において「７７７」が揃う場合がある。このような場合においても、付与される遊技価値としての可変入賞球装置５０の第１の状態への駆動制御の態様は同じである。
【００３９】
図３のたとえば右上端に示された表示画面図においては、飾り図柄表示部２ａや２ｅに、星印マークの図柄が中央に示されており、その上下にフルーツ図柄の一部が示されている。これは、図２で説明したように、星印マークの図柄はいくら当りライン上に３つ揃ったとしても大当り状態にはならない外れ図柄であるために、飾り図柄用可変表示装置の表示結果が外れ図柄となった場合にこの星印マークの図柄を見た遊技者があまり不愉快に感じないようにするために極力ズーム縮小して表示した結果、この星印マークの外れ図柄の前後の図柄が１つの飾り図柄表示部２ａ，２ｅに一部入り込んでしまったのである。この前後の図柄の一部が１つの飾り図柄表示部に入り込んだ原因が、外れ図柄のズーム縮小表示であるために、この一部入り混んだ図柄の種類までは必ずしも遊技者が認識できる必要はない。たとえば、図２に示された左側の図柄表示列の上から４番目にはオレンジのフルーツ図柄がまるごと表示されており、一方、右側に示された図柄表示列の上から１２番目にはスライスされたオレンジのフルーツ図柄が示されており、これらフルーツ図柄の下方の一部分がある飾り図柄表示部に入り込んだ形で示された場合には、まるごとオレンジのフルーツ図柄かスライスオレンジのフルーツ図柄かの区別はつかないのである。
【００４０】
一方、図３の表示画面図は、飾り図柄用可変表示装置１の可変停止時の表示結果を示したものであるが、可変表示中においては、前述したように、図２に示された図柄列が各飾り図柄表示部において順次スクロール表示されるために、各飾り図柄表示部２ａ〜２ｉにおいては、１つまたは２つまたは３つの図柄（図柄の一部を含む）が可変表示される状態となる。
【００４１】
図４は、飾り図柄用可変表示装置１の当りラインと図柄との配置関係を説明するための説明図である。飾り図柄用可変表示装置１は、前述したように、３行×３列の合計９個の飾り図柄表示部２ａ〜２ｉを有しており、それぞれの飾り図柄表示部により、図示するように、図柄１〜図柄９の９個の飾り図柄が可変表示される。そして、横方向３行と縦方向３列と斜め対角線上に２本の合計８本の当りラインである丸数字１〜８が定められており、この８本の当りラインである丸数字１〜８のうちの少なくともいずれか１つの当りライン上において、「７７７」の図柄のぞろ目が揃うか、あるいは、すべての飾り図柄表示部２ａ〜２ｉの表示結果がすべてフルーツ図柄である場合には、大当り状態が発生する。
【００４２】
図５は、大当りが発生する飾り図柄用可変表示装置１の表示結果の表示態様の種類を示した表を表わす図である。この図の左上に示された「Ｃ  ＲＮＤ  ＬＩＮＥ」は、後述の当り図柄決定用のカウンタであり、０から順次カウントアップして上限である８５までカウントアップした後再度０から繰返しカウントアップするものである。そして、所定のタイミングでこのＣ  ＲＮＤ  ＬＩＮＥの値が読出され、そのときの値は「Ｃ  ＲＮＤ  ＬＩＮＥ」の下の列に示された複数の値の中のいずれかに該当すれば、その該当する欄の右に示された当りライン上に「７７７」が停止表示されるように制御される。たとえば、Ｃ
ＲＮＤ  ＬＩＮＥのカウント値が「２４」であった場合には、図４に示した丸数字１の当りライン上に「７７７」が揃うように制御される。
【００４３】
また、Ｃ  ＲＮＤ  ＬＩＮＥのカウント値が「８５」であった場合には、図４に示した丸数字８の当りライン上に「７７７」が揃うように制御される。さらに、ＣＲＮＤ  ＬＩＮＥのカウント値が「７」であった場合には、すべての飾り図柄表示部２ａ〜２ｉにフルーツ図柄が表示されるように制御される。図５に示したように、飾り図柄用可変表示装置１の大当りが発生する表示結果は、９種類存在する。このように、図柄の組合せの総数が少ない特別図柄用可変表示装置６０の表示内容に対応するように、図柄の組合せの総数が多い飾り図柄用可変表示装置１の表示がなされる。このため、遊技者に対して表示する図柄の組合せを、飾り図柄により、バラエティに富んだものにすることができる。
【００４４】
図６は、パチンコ遊技機に用いられる制御回路を示すブロック図である。パチンコ遊技機の制御回路は、各種機器を制御するためのプログラムに従って遊技機制御を行なうための基本回路２４と、始動入賞玉検出スイッチ４ａと特定入賞玉検出スイッチ６と入賞玉検出スイッチ７とからの検出信号をメイン基本回路２４に与えるためのスイッチ回路２２と、メイン基本回路２４の指令に従ってソレノイド８を駆動するソレノイド回路２６と、メイン基本回路２４から与えられるデータに従って、大当りが発生した旨を示す大当り情報や飾り図柄用可変表示装置１の可変表示に利用された始動入賞玉の個数を表わす有効始動情報をホストコンピュータであるホール用管理コンピュータ等に対して出力する情報出力回路２８と、メイン基本回路２４から与えられるデータに従って特別図柄可変表示装置６０と始動記憶数表示器１０とＶ表示ＬＥＤ１７と入賞個数表示器９と各種装飾用のランプやＬＥＤ１６とを駆動するためのＬＥＤ回路２３とを含む。さらに、基本回路２４には、制御用プログラム等を記憶しているＲＯＭ３１と、そのプログラムに従って制御動作を行なうためのＣＰＵ３０と、ＲＡＭ３２と、Ｉ／Ｏポート３３さらにはクロック発生回路（図示せず）とが設けられている。
【００４５】
さらに、メイン基本回路２４には、電源投入時にメイン基本回路２４をリセットするための初期リセット回路１９と、メイン基本回路２４に対し定期的（たとえば２ｍｓｅｃ毎）にリセットパルスを与え、所定のゲーム制御用プログラムを先頭から繰返し実行するための定期リセット回路２０と、メイン基本回路２４から与えられるアドレス信号をデコードし、メイン基本回路２４内に含まれるＲＯＭ３１，ＲＡＭ３２，Ｉ／Ｏポート３３等のいずれか１つを選択するための信号を出力するためのアドレスデコード回路１８と、メイン基本回路２４から与えられる音データに従ってスピーカ２１０を駆動し、効果音等を発生させるための音発生，増幅回路２１とが接続されている。さらに、パチンコ遊技機の制御回路には、ＡＣ２４Ｖの交流電源に接続され、複数種類の直流の電圧を発生させる電源回路２９が含まれている。
【００４６】
さらに、制御回路には、基本回路２４からの可変表示制御指令信号に従って飾り図柄可変表示装置１の画像表示装置２に対し可変表示制御信号を与える液晶表示回路２５が設けられている。また、画像表示装置２は、サブＣＰＵ３４、ＲＯＭ３５およびＲＡＭ３６を備えている。ＲＯＭ３５には、飾り図柄用可変表示装置１により表示される飾り図柄の画像データ、キャラクタ画像の画像データおよびアニメーション画像の画像データ等のデータが記憶されている。
【００４７】
ＲＡＭ３６は、画像表示を行なうための作業領域等として用いられる。サブＣＰＵ３４は、液晶表示回路２５から受けた可変表示指令信号に応答して、ＲＯＭ３５に記憶されている画像表示用のプログラムおよびデータに基づいて、ＲＡＭ３６を作業領域として使用しながら画像表示制御を行なう。具体的には、受取った可変表示制御信号に応答して、ＲＯＭ３５から画像表示用のデータを読出し、そのデータに対して、画像表示のための割付けおよび加工等の処理を行ない、画像表示を行なうためのデータを作成し、その作成したデータに基づいて、画像表示装置２に飾り図柄の画像、キャラクタ画像、およびアニメーション画像等を表示する制御を行なう。
【００４８】
図７は、遊技制御，特別図柄用可変表示装置６０の可変表示制御，飾り図柄用可変表示装置１の可変表示制御に用いられる各種ランダムカウンタを説明するための説明図である。ランダムカウンタは、以下に示す１６種類が代表例として挙げられる。それぞれのランダムカウンタは、前述した基本回路２４によりカウント動作される。
【００４９】
ここで、前述の基本回路２４に設けられたＣＰＵ３０は、定期的（０．００２秒毎）に定期リセット回路２０からリセット信号が入力され、プログラムを先頭から実行してその最後まで実行したアドレスでリセット待ち状態となっており、前記リセット信号が入力されることにより再度プログラムを先頭から実行しなおすことを繰返し、リセット信号の入力毎にプログラムを先頭から最後まで実行することを繰返すことにより、パチンコ遊技機の遊技状態を制御できるように構成されている。
【００５０】
Ｃ  ＲＮＤは、大当り状態（特定遊技状態）を発生させるか否かを事前に決定するために用いられ、「０」からカウントアップしてその上限である「２３９」までカウントアップし、再度「０」からカウントアップしなおすように構成されている。
【００５１】
Ｃ  ＲＮＤ  Ｌは、特別図柄用可変表示装置６０の左特別図柄可変表示部の停止時に表示される左特別図柄を事前に決定するために用いられる。このＣ  ＲＮＤ  Ｌは「０」からカウントアップしてその上限である「１４」までカウントアップした後、再度「０」からカウントアップし直されるものである。
【００５２】
Ｃ  ＲＮＤ  Ｃは、特別図柄用可変表示装置６０の中特別図柄可変表示部の停止時に表示される中特別図柄を事前に決定するために用いられる。このＣ  ＲＮＤ  Ｃは，「０」からカウントアップしてその上限である「１４」までカウントアップし、その後再度「０」からカウントアップし直されるものである。
【００５３】
Ｃ  ＲＮＤ  Ｒは、特別図柄用可変表示装置６０の右特別図柄可変表示部の停止時に表示される右特別図柄を事前に決定するために用いられる。このＣ  ＲＮＤ  Ｒは，「０」からカウントアップしてその上限である「１４」までカウントアップし、再度「０」からカウントアップし直すように構成されている。
【００５４】
Ｃ  ＲＮＤ  Ｒ１は、飾り図柄用可変表示装置１においてリーチ表示をするか否かを決定するためのものであり、「０」からカウントアップしてその上限である「１５」までカウントアップした後、再度「０」からカウントアップし直されるものである。
【００５５】
Ｃ  ＲＮＤ  Ｒ２は、飾り図柄用可変表示装置１におけるリーチ表示の種類を決定するために用いられるものである。このリーチ表示の種類は、複数種類予め用意されており、その中からＣ  ＲＮＤ  Ｒ２の値により選択される。このＣ  ＲＮＤ  Ｒ２は、「０」からカウントアップしてその上限である「２５」までカウントアップした後、再度「０」からカウントアップし直されるものである。
【００５６】
Ｃ  ＲＮＤ  ＬＩＮＥは、飾り図柄用可変表示装置１の当り図柄を決定するために用いられるものである。このＣ  ＲＮＤ  ＬＩＮＥは、「０」からカウントアップしてその上限である「８５」までカウントアップした後、再度「０」からカウントアップし直されるものである。
【００５７】
Ｃ  ＲＮＤ  ＺＵ１〜ＺＵ９は、飾り図柄用可変表示装置１の外れ図柄を決定するために用いられるものである。具体的には、Ｃ  ＲＮＤ  ＺＵ１〜ＺＵ９は、画像表示装置２に表示される飾り図柄表示部２ａ〜２ｉにそれぞれ対応し、対応する飾り図柄表示部の外れ図柄の決定に用いられる。Ｃ  ＲＮＤ  ＺＵ１〜ＺＵ６の６個の外れ図柄決定用のカウンタの各々は、「０」からカウントアップしてその上限である「８」までカウントアップした後、再度「０」からカウントアップし直されるものである。Ｃ  ＲＮＤ  ＺＵ７〜ＺＵ９の３つの外れ図柄決定用のカウンタの各々は、「０」からカウントアップしてその上限である「２０」までカウントアップした後、再度「０」からカウントアップし直されるものである。
【００５８】
以上に説明した各種のランダムカウンタには、ランダムカウンタ毎にカウントの加算更新タイミングが定められている。これにより、各ランダムカウンタは、独立的に加算更新される。
【００５９】
次に、ランダムカウンタの値により大当りを発生させるか否かを事前に決定するための手順を説明する。図８は、ランダムカウンタの値により大当りを発生させるか否かを事前に決定するための手順を示すフローチャートである。
【００６０】
パチンコ玉が始動入賞口４に入賞して始動入賞玉検出スイッチ４ａにより検出されれば、その時点におけるＣ  ＲＮＤの値を抽出し、その値が「４」のときに大当りを発生させることが事前決定される。その場合における特別図柄用可変表示装置６０および飾り図柄用可変表示装置１のそれぞれの大当り図柄は、次のように決定される。特別図柄用可変表示装置６０では、Ｃ  ＲＮＤ  Ｌの抽出値により、大当りとなる図柄が決定される。飾り図柄用可変表示装置１においては、Ｃ  ＲＮＤ  ＬＩＮＥの抽出値により、大当りとなる図柄が決定される。
【００６１】
一方、Ｃ  ＲＮＤの抽出値が「４」以外のときには、外れが事前決定される。その場合における特別図柄用可変表示装置６０および飾り図柄用可変表示装置１のそれぞれの外れ図柄（外れ予定停止図柄）は、次のように決定される。特別図柄用可変表示装置６０では、Ｃ  ＲＮＤ  Ｌの抽出値により左特別図柄の予定停止図柄が決定され、Ｃ  ＲＮＤ  Ｃの値により中特別図柄の予定停止図柄が決定され、Ｃ  ＲＮＤ  Ｒの値により右特別図柄の予定停止図柄が決定される。
【００６２】
なお、左，中，右の３つの特別図柄の予定停止図柄を決定した際に、その決定内容がたとえばぞろ目となり大当りを発生させるための図柄の組合せが偶然一致した場合には、Ｃ  ＲＮＤ  Ｃの抽出値に「１」を加算して強制的に外れの図柄となるように制御する。
【００６３】
飾り図柄用可変表示装置１では、Ｃ  ＲＮＤ  ＺＵ１〜ＺＵ９の抽出値により飾り図柄表示部２ａ〜２ｉのそれぞれの飾り図柄の予定停止図柄が決定される。なお、飾り図柄表示部２ａ〜２ｉの９つの予定停止図柄を決定した際に、その決定内容がたとえばぞろ目となり大当りを発生させるための図柄の組合せが偶然発生した場合には、たとえば、Ｃ  ＲＮＤ  ＺＵ９（飾り図柄表示部２ｉに対応）の抽出値に「１」を加算して強制的に外れの図柄となるように制御する等、そのような図柄を決定する一部のランダムカウンタの抽出値に「１」を加算して強制的に外れの図柄となる。
【００６４】
次に、リーチ表示を行なうか否かの決定方法について説明する。Ｃ  ＲＮＤ  Ｒ１の抽出値が「０」である場合には、リーチ表示を行なうことが決定される。一方、Ｃ  ＲＮＤ  Ｒ１の抽出値が「１」〜「１５」である場合には、リーチ表示を行なわない通常表示を行なうことが決定される。なお、Ｃ  ＲＮＤの値に基づいて大当りが事前決定された場合には、Ｃ  ＲＮＤ  Ｒ１の値によらず、リーチ表示を行なうことが強制的に決定される。
【００６５】
つぎに、Ｃ  ＲＮＤ  Ｒ２の抽出値と、決定されるリーチの種類との関係について説明する。Ｃ  ＲＮＤ  Ｒ２の抽出値に基づくリーチの種類の決定は、以下に示すリーチ種類決定テーブルを用いて行なわれる。
【００６６】
図９は、リーチ種類決定テーブルの内容を示す説明図である。この図９に示されるリーチ種類決定テーブルにおいては、遊技状態ごとにＣ  ＲＮＤ  Ｒ２の抽出値と、実行するリーチの種類との関係が予め定められている。詳しくは次のとおりである。遊技状態は、外れ時および大当り時の２種類に分類されている。
【００６７】
外れ時の場合は、Ｃ  ＲＮＤ  Ｒ２の抽出値と、リーチの種類との関係が以下のように定められている。抽出値が「０」〜「１９」である場合にはノーマルリーチの実行が決定される。抽出値が「２０」〜「２２」である場合には、スーパーリーチ１の実行が決定される。抽出値が「２３」，「２４」である場合には、スーパーリーチ２の実行が決定される。抽出値が「２５」である場合には、スーパーリーチ３の実行が決定される。
【００６８】
大当り時の場合は、Ｃ  ＲＮＤ  Ｒ２の抽出値と、リーチの種類との関係が以下のように定められている。抽出値が「０」〜「７」である場合には、ノーマルリーチの実行が決定される。抽出値が「８」〜「１３」である場合には、スーパーリーチ１の実行が決定される。抽出値が「１４」〜「１９」である場合には、スーパーリーチ２の実行が決定される。抽出値が「２０」〜「２５」である場合には、スーパーリーチ３の実行が決定される。これらのノーマルリーチおよびスーパーリーチ１〜３は、飾り図柄用可変表示装置１に表示されるリーチの種類である。
【００６９】
ここで、ノーマルリーチとは、比較的出現頻度が高く、その代わり大当りとなる割合が低い通常のリーチ状態をいう。また、スーパーリーチとは、リーチ表示後の停止図柄が大当りになる割合が高く設定されているリーチをいう。すなわち、飾り図柄用可変表示装置１においてスーパーリーチが表示されると、その後の停止図柄が大当り図柄の組合せになる割合がノーマルリーチの場合よりも高いのである。このパチンコ遊技機の場合には、スーパーリーチ１、スーパーリーチ２およびスーパーリーチ３の３種類のスーパーリーチが用意されている。これらのスーパーリーチは、たとえば、リーチ表示時の表示画像が異なるものである。
【００７０】
このように、この遊技機においては、たとえば、スーパーリーチ１〜スーパーリーチ３の３種類のスーパーリーチを表示することが可能である。したがって、遊技者は、飾り図柄用可変表示装置１にスーパーリーチが表示されると、大当りの発生に対する期待感が高くなる。このため、スーパーリーチを表示可能にすることにより、遊技者の興趣を向上させることができる。
【００７１】
図１０および図１１は、飾り図柄用可変表示装置１における時間の変化に伴う各飾り図柄表示部２ａ〜２ｉの制御の状態を示すタイミングチャートである。
【００７２】
パチンコ玉が始動入賞口４に入賞して始動入賞玉検出スイッチ４ａにより検出されれば、図１０の左上に示すように、その検出パルスがＯＮとなって基本回路２４に入力される。その検出パルスの立上がりのタイミングに従って、基本回路は、Ｃ  ＲＮＤの値の抽出および格納を行なうとともに、Ｃ  ＲＮＤ  ＺＵ１〜ＺＵ９の値の抽出を行なう。これらのＣ  ＲＮＤ  ＺＵ１〜ＺＵ９のカウント値が、図２に示したソフト上のシンボルに相当し、カウント値がそのままソフト上のシンボルとなり、そのソフト上のシンボルに相当する図柄が該当する飾り図柄表示部２ａ〜２ｉで停止表示されるように制御される。
【００７３】
次に、始動入賞玉検出スイッチ４ａの検出パルスの立下がりのタイミング（立上がり時点より０．００２秒後）で、既に格納されているＣ  ＲＮＤの値の読出しが行なわれるとともに、この読出された値が予め定められた大当りに該当する値「４」であるか否かの判定が行なわれる。さらに、そのタイミングにおいては、Ｃ  ＲＮＤ  Ｒ１，Ｒ２の抽出も行なわれる。さらに、Ｃ  ＲＮＤの抽出値に基づく大当りの判定において、大当りを発生させることが決定された場合には、Ｃ  ＲＮＤ  ＬＩＮＥの値の抽出動作が行なわれる。
【００７４】
次に、始動入賞玉検出スイッチ４ａの検出パルスの立上がりから０．００４〜０．０２２秒の後に、Ｃ  ＲＮＤ  Ｌ，Ｃ，Ｒのそれぞれの値の抽出動作が行なわれ、それと同時に、特別図柄用可変表示装置６０および飾り図柄用可変表示装置１のそれぞれにおいてすべての図柄が一斉に変動を開始する。
【００７５】
特別図柄用可変表示装置６０に関しては、左特別図柄可変表示部、右特別図柄可変表示部、中特別図柄可変表示部の順に可変表示を停止させる制御が行なわれる。その場合の停止図柄は、次のように決定される。Ｃ  ＲＮＤの抽出値の判定により大当りを発生させることが決定された場合には、Ｃ  ＲＮＤ  Ｃ，Ｒの値が、Ｃ  ＲＮＤ  Ｌの抽出値に揃えられる。これにより、大当り時の予定停止図柄が決定される。一方、Ｃ  ＲＮＤの抽出値の判定により外れにすることが決定された場合には、Ｃ  ＲＮＤ  Ｌ，Ｃ，Ｒのそれぞれの抽出値に基づいて、左，中，右特別図柄可変表示部のそれぞれの予定停止図柄が決定される。ここでは、特別図柄用可変表示装置６０の制御タイミングの図示は省略し、主に、飾り図柄用可変表示装置１の制御タイミングの説明を行なう。
【００７６】
図１０には、リーチ状態が発生しない通常状態における飾り図柄用可変表示装置１の制御タイミングが示されており、図１１には、リーチ状態が発生する場合の制御タイミングが示されている。
【００７７】
図１０に示されるリーチ状態が発生しない通常状態の場合には、飾り図柄表示部２ａ，２ｂが、可変表示開始後４．４００秒（６６００ドット変動するのに要する時間）変動した後、Ｃ  ＲＮＤ  ＺＵ１，２あるいはＣ  ＲＮＤ  ＬＩＮＥの抽出値に従って事前決定された図柄（以下予定停止図柄という）の５１２ドット手前の図柄データがセットされてそのセットされた図柄データを表示する制御が行なわれる。
【００７８】
そして、図１０に示すように、０．７００秒（５１２ドット変動するのに要する時間）だけ飾り図柄表示部２ａ，２ｂの変動を続行させた後、その飾り図柄表示部２ａ，２ｂを停止させる。その結果、前述した予定停止図柄まで変動した状態で飾り図柄表示部２ａ，２ｂが停止することとなり、飾り図柄表示部２ａ，２ｂにより予定停止図柄が停止表示されることとなる。
【００７９】
このように、飾り図柄表示部２ａ，２ｂの可変表示が停止間近になった時点で予定停止図柄の少し手前の図柄を表示する図柄切換表示制御が行なわれる。
【００８０】
飾り図柄表示部２ｃ〜２ｆの場合にも、可変開始してから５．１００秒（７６５０ドット分変動するのに要する時間）変動した後、前述した表示図柄切換制御が行なわれ、その後０．７００秒可変表示が続行されて停止される。飾り図柄表示部２ｅ，２ｈも同様に、５．８００秒（８７００ドット分変動するのに要する時間）可変表示された後、前述した表示図柄切換制御が行なわれる。飾り図柄表示部２ｉの場合も、６．５００秒（９７５０ドット分変動するのに要する時間）可変表示された後、前述した表示図柄切換制御が行なわれる。
【００８１】
このように、表示図柄切換制御を行なう理由は、各飾り図柄表示部が可変開始されてからそれぞれに定められた一定時間が経過した段階で停止されるのであるが、実際に停止する予定停止図柄は順次カウンタ（Ｃ  ＲＮＤ  ＺＵ１〜ＺＵ９）の抽出値次第でランダムに決定されるために、図柄切換表示制御を行なわない場合にはその決定された予定停止図柄のところまで可変表示させた後停止させざるを得ず、その予定停止図柄のところまで可変表示させるのに要する時間がランダムとなり、可変開始してから実際に停止するまでの可変表示時間がランダムとなってしまうのであり、そのような可変表示時間の不規則性を排除するために、途中で表示図柄切換制御を行なうのである。
【００８２】
図１１は、飾り図柄表示部２ｉの停止時の表示図柄次第では大当りが発生するというリーチ状態が生ずる場合の動作を示したタイミングチャートである。飾り図柄表示部２ａ〜２ｈについては、図１０で説明した制御動作と同様である。そして、飾り図柄表示部２ｉについては、可変開始されてから６．５００秒（９７５０ドット分変動するのに要する時間）可変表示した後、図柄切換表示制御が行なわれる。この表示図柄切換制御は、ソフト上のシンボル００の図柄すなわち図２に従えば「７」の図柄データがセットされてその図柄が表示される。
【００８３】
その後、飾り図柄表示部２ｉの可変表示速度が徐々に遅くなって遊技者がはっきり視認できる程度の速度となり、そのゆっくりとした可変表示を比較的長い時間続行させた後、Ｃ  ＲＮＤ  ＺＵ９の抽出値に応じた図柄あるいは当りの場合には「７」やフルーツ図柄が可変表示された瞬間停止制御する。この表示図柄切換制御が行なわれてから実際に可変表示が停止するまでの時間は、予定停止図柄の種類次第で異なるのであり、７．９５８〜１１．３３４秒（２２７２〜３０８８ドット分変動する時間）となる。
【００８４】
このように、表示図柄切換制御が行なわれてから実際に可変表示が停止するまでの時間は、予定停止図柄の種類次第で異なるため、飾り図柄用可変表示装置１においては、次のようなリーチ状態も生じる。すなわち、通常状態では同時に可変停止する２つの飾り図柄表示部２ｇ，２ｈのうちの一方の飾り図柄表示部の停止図柄次第では大当りが発生するというリーチ状態が生じる。その他に、２つの飾り図柄表示部（２ｇまたは２ｈのうち少なくとも一方と、２ｉと）の停止時の表示図柄次第では大当りが発生するという２箇所でリーチ状態が発生するいわゆるダブルリーチも生じる。なお、ここではこれらの詳細な説明は省略する。
【００８５】
ここで説明した飾り図柄表示部２ｉの停止制御は、ノーマルリーチの場合の制御内容である。これに対し、スーパーリーチ１〜スーパーリーチ３が表示される場合には、表示内容がノーマルリーチの場合とは異なる。以下に、スーパーリーチ１〜３が表示される場合の飾り図柄表示部２ｉの停止制御について説明する。
【００８６】
スーパーリーチ１〜スーパーリーチ３を表示することは、Ｃ  ＲＮＤ  Ｒ２の抽出値を判定することにより決定される。これらのスーパーリーチの表示が行なわれる場合には、図１１に示される飾り図柄表示部２ｉの停止制御時において、次のような制御が行なわれる。
【００８７】
まず、飾り図柄表示部２ｉの可変表示速度を徐々に遅くして、遊技者がはっきり認識できる程度の速度にし、そのゆっくりとした可変表示を所定時間続行させ、その可変表示を一旦停止させた後またはその可変表示継続中において、後述するキャラクタ画像を飾り図柄表示部２ａ〜２ｉに重ねて登場させる。そして、そのキャラクタ画像に所定の動作を行なわせ、そのキャラクタ画像の動作に応じて、飾り図柄表示部２ｉをスクロール表示以外の変化態様で再び可変表示させる。そのスクロール表示以外の変化態様には、後述するような飾り図柄の縦軸回転表示および飾り図柄のめくり表示が含まれる。スーパーリーチの表示時に動作するキャラクタ画像の動作内容は、スーパーリーチの種類ごとに異なる。
【００８８】
そのようなスーパーリーチの表示が行なわれた場合、飾り図柄表示部２ｉは、スクロール表示以外の変化態様での可変表示が所定時間行なわれた後、停止制御される。スーパーリーチ１〜スーパーリーチ３は、それらの表示後の停止図柄が大当りになる割合がノーマルリーチの場合よりも高く設定されているものであるため、これらのスーパーリーチの表示が行なわれると、遊技者は、ノーマルリーチに比較して、大当りの発生に対する期待感が高まる。したがって、このようにスーパーリーチを表示することにより、遊技者の興趣を向上させることができる。
【００８９】
このようなスーパーリーチの表示が行なわれる場合には、それまでにスクロール表示の変化態様により可変表示されていた飾り図柄が、キャラクタ画像の動作に応じてスクロール表示以外の変化態様に切換えられる表示制御が行なわれる。その表示制御は、以下に説明する可変表示切換処理により実行される。
【００９０】
図１２は、可変表示切換処理の処理手順を示すフローチャートである。ステップＳ（以下単にＳという）１により、リーチ表示を行なうタイミングであるか否かの判断がなされる。Ｓ１で、リーチ表示をするタイミングではないと判断された場合には、この処理が終了する。一方、Ｓ１で、リーチ表示をするタイミングであると判断された場合には、Ｓ２に進み、スーパーリーチを表示するタイミングであるか否かの判断がなされる。Ｓ２で、スーパーリーチを表示するタイミングではないと判断された場合には、この処理が終了する。一方、Ｓ２で、スーパーリーチを表示するタイミングであると判断された場合には、Ｓ３に進む。
【００９１】
Ｓ３では、スーパーリーチ時に表示するキャラクタ画像を表示中であるか否かの判断がなされる。Ｓ３で、キャラクタ画像の表示中であると判断された場合には、後述するＳ５に進む。一方、Ｓ３で、キャラクタ画像の表示中ではないと判断された場合には、Ｓ４に進み、スーパーリーチ用のキャラクタ画像を飾り図柄用可変表示装置１の画像表示装置２に表示する処理がなされる。その後、Ｓ５に進む。
【００９２】
Ｓ５では、画像表示装置２に表示されたキャラクタ画像が後述するような所定の動作を実行したか否かの判断がなされる。Ｓ５で、キャラクタ画像が所定の動作をしていないと判断された場合には、この処理が終了する。一方、Ｓ５で、キャラクタ画像が所定の動作を実行したと判断された場合には、Ｓ６に進み、可変表示の変化態様を切換える処理がなされる。具体的には、それまでにスクロール表示により可変表示されていた飾り図柄の可変表示態様を、スクロール表示以外の可変表示態様（変化態様）に切換える。その具体例については後述する図１３〜図１５において説明する。Ｓ６の後、この処理が終了する。
【００９３】
このように、スーパーリーチの表示が行なわれる場合には、キャラクタ画像が表示され、それまでにスクロール表示により可変表示されていた飾り図柄が、キャラクタ画像の動作に応じて、スクロール表示以外の変化態様に切換えられるため、可変表示内容を変化に富んだものにすることができ、遊技の面白味（遊技性）を向上させることができる。その結果として、遊技者の興趣を向上させることができる。
【００９４】
次に、スーパーリーチ時に画像表示装置２に表示される画像の具体例を説明する。スーパーリーチ時には、キャラクタ画像が飾り図柄用可変表示装置１の画像表示装置２に表示され、そのキャラクタ画像が動作する表示が行なわれる。そして、そのキャラクタ画像の動作の態様に応じて、スクロール表示されている飾り図柄表示部２ａ〜２ｉの飾り図柄の表示態様が、スクロール表示以外の表示態様に切換えられる。その具体例を以下に３種類説明する。ここで、スーパーリーチ時には、９つの飾り図柄表示部のうち、たとえば、最後に飾り図柄表示部２ｉが可変表示を停止する。
【００９５】
図１３は、キャラクタ画像の動作の態様に応じて飾り図柄の可変表示態様を切換える第１の表示例を示す図である。
【００９６】
飾り図柄用可変表示装置１の画像表示装置２の表示画像がリーチ状態になると、たとえば人形状のキャラクタ８１が画像表示装置２の画面上の左下位置に登場する。この状態において、飾り図柄表示部２ｉはスクロール表示を行なっている。
【００９７】
そして、そのキャラクタ８１が、画面上の右方向へ移動して一旦停止し、画面の上方向へジャンプする。そして、そのキャラクタ８１が、飾り図柄表示部２ｉの右側に位置し、手の部分で飾り図柄表示部２ｉの飾り図柄を順次めくっていく動作をする。
【００９８】
これにより飾り図柄表示部２ｉの飾り図柄がめくられていき、新たな図柄の飾り図柄が飾り図柄表示部２ｉに順次現われる。このようにして、飾り図柄の可変表示が行なわれる。キャラクタ８１によりめくられた飾り図柄（破線で図示）は、画面上の左斜め上方へ順次飛ばされて消滅する。
【００９９】
このように、キャラクタ８１が前述の所定の動作を行なうことに応じて、飾りの可変表示態様が、スクロール表示からスクロール表示以外のめくり表示の可変表示態様に切換えられる。
【０１００】
図１４は、キャラクタ画像の動作の態様に応じて飾り図柄の可変表示態様を切換える第２の表示例を示す図である。
【０１０１】
飾り図柄用可変表示装置１の画像表示装置２の表示画像がリーチ状態になると、たとえば人形状のキャラクタ８１が画像表示装置２の画面上の左中位置に登場する。この状態において、飾り図柄表示部２ｉはスクロール表示を行なっている。
【０１０２】
そして、そのキャラクタ８１が、画面上の右方向へ飛ぶ移動を行なう。その飛んだ際に、キャラクタ８１は、飾り図柄表示部２ｉ上を通過する。そして、その通過に応答して飾り図柄表示部２ｉが縦軸回転（破線で図示）をする。ここで、縦軸回転とは、画面の上下方向を軸（縦軸）として飾り図柄が回転する表示をいう。そのような縦軸回転により飾り図柄表示部２ｉが回転するごとに、飾り図柄表示部２ｉに新たな図柄の飾り図柄が順次現われる。これにより、飾り図柄の可変表示が行なわれる。
【０１０３】
このように、キャラクタ８１が前述の所定の動作を行なうことに応じて、飾りの可変表示態様が、スクロール表示からスクロール表示以外の縦軸回転表示の可変表示態様に切換えられる。
【０１０４】
図１５は、キャラクタ画像の動作の態様に応じて飾り図柄の可変表示態様を切換える第３の表示例を示す図である。
【０１０５】
飾り図柄用可変表示装置１の画像表示装置２の表示画像がリーチ状態になると、たとえば人形状のキャラクタ８１が画像表示装置２の画面上の左下位置に登場する。この状態において、飾り図柄表示部２ｉはスクロール表示を行なっている。
【０１０６】
そして、そのキャラクタ８１が、画面上の右方向へ移動して一旦停止し、画面の上方向へジャンプする。そして、そのキャラクタ８１が、飾り図柄表示部２ｉの右側に位置し、キャラクタ８１の尻の部分で飾り図柄表示部２ｉの飾り図柄を順次押すことにより、飾り図柄表示部２ｉの飾り図柄を順次めくっていく動作をする。これにより飾り図柄表示部２ｉの飾り図柄がめくられていき、新たな図柄の飾り図柄が飾り図柄表示部２ｉに順次現われる。このようにして、飾り図柄の可変表示が行なわれる。キャラクタ８１によりめくられた飾り図柄（破線で図示）は、順次画面上の左方向へ飛ばされて消滅する。
【０１０７】
このように、キャラクタ８１が前述の所定の動作を行なうことに応じて、飾り図柄の可変表示態様が、スクロール表示からスクロール表示以外のめくり表示の可変表示態様に切換えられる。
【０１０８】
スーパーリーチ１〜スーパーリーチ３の各々には、可変表示態様がキャラクタ画像の動作に応じて切換えられる前述したような表示内容のうちの１種類が固有の表示内容として予め定められており、スーパーリーチ１〜スーパーリーチ３を表示させることが決定された場合には、決定されたスーパーリーチに対応する表示が行なわれる。たとえば、スーパーリーチ１の表示を行なうことが決定された場合に図１３の表示がなされ、スーパーリーチ２の表示を行なうことが決定された場合に図１４の表示がなされ、スーパーリーチ３の表示を行なうことが決定された場合に図１５の表示がなされるようにすればよい。
【０１０９】
このように、このパチンコ遊技機では、飾り図柄用可変表示装置１の飾り図柄の可変表示中において、飾り図柄の可変表示の変化態様が、キャラクタ画像の動作に応じてスクロール表示からスクロール表示以外の可変表示態様に切換えられる。このため、飾り図柄用可変表示装置１の可変表示の変化態様を変化に富んだものにすることができ、遊技としての面白味を向上させることができる。その結果として、このような可変表示を見る遊技者の興趣を向上させることができる。
【０１１０】
さらに、キャラクタ画像の動作に関連して飾り図柄の可変表示変化態様が切換わるので、単に可変表示の変化態様を切換えるものに比べて面白味が向上するとともに、切換えが行なわれたことを遊技者にわかりやすく（視認させやすく）することができる。
【０１１１】
また、スクロール表示からの切換え後の可変表示態様としては、めくり表示および縦軸回転表示等が代表例として挙げられる。このようなめくり表示および縦軸回転表示は、特殊な可変表示態様であり、表示態様がスクロール表示と大幅に異なるものであるため、スクロール表示からめくり表示または縦軸回転表示への切換えを行なうことにより、可変表示の表示態様の切換え前後の可変表示態様の変化を強調することができる。
【０１１２】
また、前述したように、キャラクタ画像の動作は、図１３〜図１５に示されたように複数種類用意され、それらの中からランダムカウンタＣ  ＲＮＤ  Ｒ２の値により選択された動作（リーチ動作）が実行されるようになっている。一方、それらのキャラクタ画像の各動作に対応して、スクロール表示からの切換え後の飾り図柄の可変表示態様が予め定められている。このため、同じキャラクタ画像が表示される場合でも、キャラクタ画像の選択された動作の種類に応じて切換え後の飾り図柄の可変表示の変化態様が異なるように表示制御がされる。したがって、可変表示の表示態様をさらに変化に富んだものにすることができる。
【０１１３】
なお、本実施の形態においては、スーパーリーチの表示が行なわれる場合にのみ、キャラクタ画像の表示を行なう制御およびそのキャラクタ画像の動作に応じた可変表示態様の切換えを行なう制御をするようにした。しかし、これに限らず、そのようなキャラクタ画像の表示制御およびそのキャラクタ画像の動作に応じた可変表示態様の切換え制御は、スーパーリーチ時以外の場合に行なってもよい。
【０１１４】
また、本実施の形態のパチンコ遊技機は、少なくともリーチが確定した後にキャラクタが出現するように構成したが、これに限らず、リーチが可変表示上まだ確定していない段階でキャラクタが出現，動作するように構成してもよい。さらに、キャラクタの動作により必ずしも可変表示方法がすべて変化せずに、ある割合で変化するようにしてもよい。これにより、遊技者にキャラクタの動作により可変表示態様が変化するかしないかの緊張感を付与でき、興趣が向上できる。
【０１１５】
次に、この発明の実施の形態の主な変形例等を列挙する。
（１）  図６に示した基本回路２４のＣＰＵ３０および画像表示装置２のサブＣＰＵ３４により、画像表示制御手段が構成されている。この画像表示制御手段の働きにより、キャラクタ画像（キャラクタ８１）に予め定められた動作を行なわせる表示制御を行なった後、第１の表示変化態様（たとえば、スクロール表示）で可変表示している識別情報（飾り図柄）をその第１の表示変化態様以外の変化態様（たとえば、縦軸回転表示，めくり表示）に切換えて可変表示させる制御が行なわれる。その場合の第１の表示変化態様には、ａスクロール表示，ｂ切換表示，ｃ回転表示，ｄ変形表示，ｅめくり表示が含まれる。
【０１１６】
ここで、ａのスクロール表示とは、前述した飾り図柄のスクロール表示に代表される可変表示である。ｂの切換表示とは、識別情報をその場で切換える可変表示である。また、ｃの回転表示とは、前述した縦軸回転表示を代表例とし、識別情報の回転に伴う可変表示である。また、ｄの変形表示とは、モーフィング表示等の形状変化表示を代表例とし、識別情報をある形状から他の形状に変形させていき、その変形に伴って可変表示を行なう表示である。ｅのめくり表示とは、前述した飾り図柄のめくり表示を代表例とする可変表示である。
【０１１７】
また、前記第１の表示変化態様以外（基本的には表示方法自体が変わるもの）の表示変化態様には、前述した第１の表示変化態様の場合と同様に、ａスクロール表示，ｂ切換表示，ｃ回転表示，ｄ変形表示，ｅめくり表示が含まれる。すなわち、前述のように列挙された第１の表示変化態様のａ〜ｅと、第１の表示変化態様以外の表示変化態様のａ〜ｅとが適宜組合せて用いられる。ただし、その場合において、第１の表示変化態様と、その第１の表示変化態様以外の表示変化態様との表示種類が一致する場合（たとえば、第１の表示変化態様がスクロール表示であり、かつ、第１の表示変化態様以外の表示変化態様がスクロール表示である場合等）には、それらの表示について、たとえば次のように表示方法を異ならせることにより、変化態様を異ならせるようにする。
【０１１８】
ａ両方の表示変化態様がスクロール表示の場合には、変化態様の切換えの前と後とでスクロール方向を変える。ｂ両方の表示変化態様が切換表示の場合には、変化態様の切換えの前と後とで切換表示の切換方法を変える。ｃ両方の変化態様が回転表示の場合には、変化態様の切換えの前と後とで回転方向を変える。ｄ両方の表示変化態様が変形表示の場合には、変化態様の切換えの前と後とで変形方法を変える。ｅ両方の変化態様がめくり表示の場合には、変化態様の切換えの前と後とでめくり方向を変える。
【０１１９】
（２）  前述の実施の形態においては、飾り図柄用可変表示装置１に含まれる画像表示装置２を飾り図柄の表示のために用いた。しかし、これに限らず、画像表示装置２は、特別図柄を表示するために用いてもよい。その場合には、７セグメントＬＥＤよりなる特別図柄用可変表示装置６０を用いずに、画像表示装置２を含む飾り図柄用可変表示装置１を特別図柄用の可変表示装置として用いる。
【０１２０】
（３）  キャラクタ画像（キャラクタ８１）が出現した場合において、識別情報（飾り図柄）の可変表示の表示変化態様を切換える制御は、必ずしも行なわないようにしてもよい。すなわち、キャラクタ画像が出現した場合に識別情報の可変表示の表示変化態様を切換える制御に加えて、キャラクタ画像が出現しても、識別情報の表示変化態様が切換わらないようにする制御を所定条件下で行なうようにしてもよい。
【０１２１】
その具体例は、次のとおりである。リーチ状態が発生した場合に、表示においてキャラクタ画像が出現する。そして、識別情報の表示変化態様が切換えられるスーパーリーチを発生させる場合にはキャラクタ画像を動作させ、一方、スーパーリーチを発生させず、たとえば外れにする場合には、キャラクタ画像の動作を停止させるか、または、キャラクタ画像に予め定められた他の動作（スーパーリーチ発生前の動作以外の動作）をさせる。このようにすれば、スーパーリーチの出現率と、スーパーリーチの出現時の大当り発展率（スーパーリーチから大当りへ発展する確率）とをともに低下させることなく、キャラクタ画像の出現頻度を増加させることができる。その結果として、ゲーム性が向上する。
【課題を解決するための手段の具体例】
【０１２２】
（１）  図１に示された飾り図柄用可変表示装置１の画像表示装置２により、複数種類の識別情報を可変表示可能な画像表示装置が構成されている。図６に示した基本回路２４のＣＰＵ３０および画像表示装置２のサブＣＰＵ３４により、画像表示装置に複数種類の識別情報を第１の表示変化態様で可変開始させた後、その表示結果を導出表示させる制御を行なうとともに、動作可能なキャラクタ画像を画像表示装置に表示させる制御を行なう画像表示制御手段が構成されている。画像表示制御手段は、図１３〜図１５に示されるように、キャラクタ画像（キャラクタ８１）に予め定められた動作を行なわせる表示制御を行なった後、第１の表示変化態様で可変表示（スクロール表示）をしている識別情報を第１の表示変化態様以外（スクロール表示以外）の変化態様に切換えて可変表示させる制御を行なう。
【０１２３】
（２）  前記画像表示制御手段は、図１４に示されるように、前記第１の表示変化態様で可変表示（スクロール表示）している識別情報（飾り図柄）の変化態様を切換える場合に、その識別情報を回転させつつ更新する変化態様（縦軸回転表示）に切換える制御を行なう。
【０１２４】
（３）  前記画像表示制御手段は、図１３および図１５に示されるように、前記第１の表示変化態様で可変表示（スクロール表示）している識別情報（飾り図柄）の変化態様を切換える場合に、その識別情報を順次めくって更新させる変化態様（めくり表示）に切換える制御を行なう。
【０１２５】
（４）  前記画像表示制御手段は、キャラクタ画像に複数種類の動作（スーパーリーチ時の動作）を選択的に行なわせ、その動作の種類（スーパーリーチの種類）に応じて切換え後の識別情報（飾り図柄）の変化態様の種類を変更する制御を行なう。
【課題を解決するための手段の具体例の効果】
【０１２６】
請求項１に関しては、遊技状態決定手段により特定遊技状態としないことが決定されたときにリーチ決定用のランダムカウンタを用いて画像表示装置の可変表示中にリーチ可変表示を行なうか否かが決定される。そして、遊技状態決定手段により特定遊技状態とすることが決定されたとき、および、リーチ決定手段によりリーチ可変表示を行なうことが決定されたときに、リーチ種類決定用のランダムカウンタを用いて、リーチ可変表示中の表示態様が異なる複数種類のリーチのうちからリーチの種類が、遊技状態決定手段により特定遊技状態とすることが決定されたときと、リーチ決定手段によりリーチ可変表示を行なうことが決定されたときとで異なる割合で、決定される。また、特定遊技状態に制御されるときに、表示結果が特定の表示態様となる特別識別情報としての特別図柄の可変表示に連動して可変表示する飾り図柄が可変表示可能である。そして、飾り図柄の表示内容を特別図柄の表示内容と関連性がある表示内容とする制御が行なわれる。さらに、複数種類のリーチのうちから決定されたリーチの種類に応じた、異なる動作でキャラクタ画像を表示させる制御が行なわれるとともに、第１の表示変化態様で可変表示している飾り図柄を、キャラクタ画像の動作に応じて第１の表示変化態様と異なる第２の表示変化態様に切換えて可変表示させる制御が行なわれる。このため、画像表示装置の可変表示の表示変化態様を変化に富んだものにして遊技としての面白味（遊技性）を向上させることができる。その結果として、このような可変表示を見る遊技者の興趣を向上させることができる。さらに、キャラクタ画像の動作に関連して識別情報としての飾り図柄の表示変化態様が切換わるので、単に表示変化態様を切換えるものに比べて面白味が向上するとともに、切換えが行なわれたことを遊技者に視認させやすくすることができる。また、キャラクタ画像が表示されたときであっても、所定条件が成立しているときには第２の表示変化態様に切換わらないように制御されるために、キャラクタの動作により可変表示態様が変化するかしないかの緊張感を遊技者に付与でき、興趣が向上できる。
【図面の簡単な説明】
【０１３０】
【図１】遊技機の一例のパチンコ遊技機の遊技盤面を示す正面図である。
【図２】飾り図柄用可変表示装置で可変表示される図柄列を示す図である。
【図３】飾り図柄用可変表示装置により表示される表示態様を示す画面図である。
【図４】飾り図柄用可変表示装置の図柄と当りラインとの関係を示す説明図である。
【図５】飾り図柄用可変表示装置による大当りが発生する表示態様の種類を示す説明図である。
【図６】パチンコ遊技機に用いられる制御回路を示すブロック図である。
【図７】遊技制御，特別図柄用可変表示装置および飾り図柄用可変表示装置の可変表示制御に用いられる各種ランダムカウンタを説明するための説明図である。
【図８】ランダムカウンタの値により大当りを発生させるか否かを事前に決定するための手順を示すフローチャートである。
【図９】リーチ種類決定テーブルの内容を示す説明図である。
【図１０】飾り図柄用可変表示装置の動作の変化状態を示すタイミングチャートである。
【図１１】飾り図柄用可変表示装置の動作の変化状態を示すタイミングチャートである。
【図１２】可変表示切換処理の処理手順を示すフローチャートである。
【図１３】キャラクタ画像の動作の態様に応じて飾り図柄の可変表示態様を切換える第１の表示例を示す図である。
【図１４】キャラクタ画像の動作の態様に応じて飾り図柄の可変表示態様を切換える第２の表示例を示す図である。
【図１５】キャラクタ画像の動作の態様に応じて飾り図柄の可変表示態様を切換える第３の表示例を示す図である。
【符号の説明】
【０１３１】
１２  遊技盤、１３  遊技領域、６０  特別図柄用可変表示装置、１  飾り図柄用可変表示装置、２  画像表示装置、２ａ〜２ｉ  飾り図柄表示部、２４  基本回路、３０  ＣＰＵ、３４  サブＣＰＵ、８１  キャラクタ。
【図１】
0004514817.tif 000002
【図２】
0004514817.tif 000003
【図３】
0004514817.tif 000004
【図４】
0004514817.tif 000005
【図５】
0004514817.tif 000006
【図６】
0004514817.tif 000007
【図７】
0004514817.tif 000008
【図８】
0004514817.tif 000009
【図９】
0004514817.tif 000010
【図１０】
0004514817.tif 000011
【図１１】
0004514817.tif 000012
【図１２】
0004514817.tif 000013
【図１３】
0004514817.tif 000014
【図１４】
0004514817.tif 000015
【図１５】
0004514817.tif 000016